(57)【要約】【課題】側面部材のクッション要素とフレームのクッション要素を単一の製造ステップで製造することができるように、クッション構成を有する眼鏡を具体化する。【解決手段】ブリッジ片（６）を有するサイト片（３）と、該サイト片（３）か、該サイト片（３）に割り当てられたフレーム（２）に蝶着された側面部材（４）とを備えて成り、更により装着しやすいように、クッション構成が着用者の顔との接触部分（９,２２）に備えられた眼鏡において、上記側面部材（４）の端部（２７）、および/または上記フレーム（２）の上部（１６）の内側、および/または上記ブリッジ片（６）の一部がほぼZ形のクッションを備えている眼鏡。
2004522181.tif 000002
【特許請求の範囲】
【請求項１】
ブリッジ片（６）を備えたサイト片（３）と、該サイト片（３）か、該サイト片（３）に割り当てられたフレーム（２）に蝶着された側面部材（４）とを備えて成り、更により装着しやすいように、クッション構成（２８）が着用者の顔との接触領域（９,２２）に備えられた眼鏡において、上記側面部材（４）の後部片（２５）、および/または上記フレーム（２）の上部（１６）の内側、および/または上記ブリッジ片（６）の一部分がほぼZ形のクッションを備えていることを特徴とする眼鏡。
【請求項２】
Z形領域（１０,１７,２６）が、側面部材（４）の端部（２７）、および/またはフレーム（２）の上部（１６）、および/またはブリッジ片（６）と一体化していることを特徴とする、請求項１に記載の眼鏡。
【請求項３】
Z形領域（１０,１７,２６）において、特に接触領域（９,２２,２９）のそれぞれに沿って穴があいていることを特徴とする、請求項１に記載の眼鏡。
【請求項４】
側面部材（４）の端部（２７）が、直接クリップ留めすることにより互いに固定でき、または追加のプラスチック部材もしくはプラスチックストリップを介して互いに固定できることを特徴とする、請求項１に記載の眼鏡。
【発明の詳細な説明】
【技術分野】
【０００１】
本発明は眼鏡に関するものである。該眼鏡は、ブリッジ片を備えたサイト片と、サイト片か、サイト片に割り当てられた（付設された）フレームに蝶着されている側面部材を備えて成っている。クッション構成が使用者の顔との接触領域に設けられて、装着の利便性を高めている。
【背景技術】
【０００２】
固いプラスチック材料や金属から成る通常のフレームはかなり丈夫だが、その結果、鼻のブリッジ部分や耳の後ろに、圧力による痛みが生じる可能性がある。この痛みは特に頭をずっと動かしていたり、急に動かした時に生じ、眼鏡を掛けることの利便性をずいぶん損なわせる。
【０００３】
こうした欠点は、比較的軟らかいプラスチック材料のクッションを用いることで克服できる。液体や空気を中に含む、比較的軟らかいプラスチック材料のパッドを用いることが知られている。比較的薄壁の膨隆部を有するプラスチック材料を射出成形したクッションは、より装着しやすいものとして用いられてきた。このタイプのクッション構成は、例えば、工業用安全眼鏡に関連して特許文献１に記載されている。プラスチック材料のパッドを射出成形するには別個の製造ステップを必要とし、付加的な製造コストを生じることになる。
【特許文献１】EP0529202A1
【発明の開示】
【発明が解決しようとする課題】
【０００４】
本発明の目的は、側面部材のクッション要素とフレームのクッション要素を単一の製造ステップで製造することができるように、クッション構成を有する眼鏡を具体化することである。
【課題を解決するための手段】
【０００５】
本発明によって、この目的は、側面部材の後部片、および/またはフレーム上部の内側、および/または鼻接触領域の一部がZ形のクッションになる点で達成される。
【発明の効果】
【０００６】
この構成は、優れたクッション機能を有し、従来の通常の眼鏡と比べて製造要件を著しく低減する。
【０００７】
本発明の別の好ましい実施態様において、Z形領域は、側面部材、および/またはフレーム上部、および/または鼻接触領域と一体化することができる。
【０００８】
この構造には、ほんの少しの製造ステップしか必要とせず、その結果製造費用は低く保たれる。クッション構成は、フレームまたは側面部材から取り外す必要はない。
【０００９】
Z形領域では、特にそれぞれの接触領域に沿って穴があけられていれば好都合である。
【００１０】
その結果、着用者のクッション構成への接触領域は最小限に抑えることができる。その凹部により、重量が少なく、特別な構造の眼鏡を作ることができる。
【００１１】
適切には、側面部材の端部は、クリップ留めにより互いに結ぶことができる。代わりに、接続のため、付加のプラスチック部材またはストリップが備えられてもよい。
【００１２】
この場合、眼鏡をはずし首の周りにかけておく際には、追加の紐は不要である。
【００１３】
発明の詳細は、以下の好ましい実施態様の説明を図面と併せて読むことにより明らかになるであろう。
【発明を実施するための最良の形態】
【００１４】
１に示す眼鏡はフレーム２とサイト片３を有する。側面部材４はフレーム２の側面およびサイト片３に、蝶番ピン５により蝶着されている。蝶番ピン５により側面部材４は何の問題もなく折り曲げられ、空間を有効利用できる。
【００１５】
フレーム２とサイト片３は、着用者の頭に最適に合うように湾曲している。側面部材４はフレーム２の湾曲部から離れるに従い先細になっている。
【００１６】
さらにフレーム２は、フレーム２と一体の対称なブリッジ片６を備えて成っている。ブリッジ片６から離れるに従い先細になっている二つの側面７は、それぞれが、鼻接触領域９を構成する鼻掛け部８を有する。鼻掛け部８は、領域１０に沿ってZまたはS形をしたブリッジ片６に繋がり、ブリッジ片６と鼻掛け部８は一体化している。
【００１７】
二つの屈曲部１１,１２の間において、ZまたはS形領域１０はリードイン片（lead-in piece）１４およびリードアウト片（lead-out piece)１５にほぼ平行に、かつそれからある距離だけ離れたところにある中間片１３を備え、リードアウト片１５は鼻のために設けられた領域方向に突出している。中間片１３は、リードイン片１４に沿って、そこからある距離だけわずかに逆行している。
【００１８】
より装着しやすいように、鼻接触領域９には穴があいていてもよい。
【００１９】
フレーム２の上部１６には、リードイン片２１とリードアウト片２３の間の中間片１８から成るもう一つ別のZ形領域がある。Z部の二つの角１９,２０は鋭角で、約２０度になっている。このZ形領域１７において、フレームの上部１６はリードイン片２１から成る。中間片１８は、角１９を介し上部１６に沿って延在している。他方、リードアウト片２３は眼鏡１内に突出しており、接触部２２を形成している。Z形領域１７とフレーム２は一つの片で形成されている。
【００２０】
中間片１３と１８は、それぞれ、鼻接触領域９と接触部２２よりも短くなっている。
【００２１】
より装着しやすいように、接触部２２には穴２４があいている。凹型のその他の形状も考えられ、例えば正方形や長方形、または楕円形などである。
【００２２】
側面部材４の後部片２５は、接触部２９を有するZ形領域２６から成り、上で述べたZ形領域１０および１７の外観、機能と全く一致する。
【００２３】
側面部材４は蝶番ピン５の付近に凹部を設けてもよい。側面部材４は、全体にわたり一定の厚みdを有する。側面部材の端２７はクリップ留めにより互いに結びけられる。この場合、取り外した時は、眼鏡１は着用者の首の周りにかけておくことができる。
【００２４】
少ない構成要素でできているため、このクッション付眼鏡１はすぐにかつ簡単に製造でき、それゆえに費用も安い。
【００２５】
眼鏡１はチタンまたはアルミニウムから製造することができ、プラスチック材料のZ形領域１０,１７,２６はその金属フレームに固定される。
【００２６】
眼鏡１は特に工業用の安全用途に使用されるため、クッション構成２８は、「衝撃吸収領域（crumple zone）」を備えることによりさらに安全になる。
【００２７】
工業用安全眼鏡のような構造は、フレーム２から使用者の顔、特に鼻の付近に向かって伸びるルーフタイプのカバーを有することができる。
【００２８】
スポーツやスキー眼鏡またはサングラスのような使用の際、Z形領域１０,１７,２６の周りをコーティングするかまたは射出成形し、外部から閉鎖される軟質の構造にすることが考えられる。
【００２９】
結論として、本発明のZ形クッション領域１０,１７,２６により、眼鏡をどんな大きさの頭にも、そして特にどんな形の鼻にもまた最適に合わせることができるのである。
【図面の簡単な説明】
【００３０】
【図１】本発明に従う眼鏡の斜視図である。
【図２】本発明に従う眼鏡の平面図である。
【図３】本発明に従う眼鏡の部分正面図である。
【符号の説明】
【００３１】
２  フレーム
３  サイト片
４  側面部材
６  ブリッジ片
９，２２  接触領域
１６  上部
２５  後部片
２８  クッション構成
【国際公開パンフレット】
2004522181.tif 000003
2004522181.tif 000004
2004522181.tif 000005
2004522181.tif 000006
2004522181.tif 000007
2004522181.tif 000008
2004522181.tif 000009
2004522181.tif 000010
2004522181.tif 000011
2004522181.tif 000012
2004522181.tif 000013
2004522181.tif 000014
【国際公開パンフレット（コレクトバージョン）】
2004522181.tif 000015
2004522181.tif 000016
【国際調査報告】
2004522181.tif 000017
2004522181.tif 000018
2004522181.tif 000019
2004522181.tif 000020
2004522181.tif 000021
2004522181.tif 000022